(57)【要約】【課題】  手動操作環の操作部が光軸方向に長い場合、補強リングを配置した以外の場所が変形をする恐れがある。補強リングの板厚を厚くして光軸方向に延伸させようとすると、補強リングの内外径寸法差を確保する必要があり、鏡筒の小型・軽量化の妨げとなる。また、補強リングをパイプ材より削りだして作成すると製造コストが高くなる。【解決手段】  レンズ鏡筒の手動操作環の構成において、前記手動操作環はプラスチック材料より成り、前記手動操作環は光軸に垂直である第一の平面部と、第一の平面部から光軸方向に離間した第二の平面部を有し、前記第一の平面部に当接した金属材料から成る第一の補強リングと、前記第二の平面部に当接した金属材料から成る第二の補強リングを有することを特徴とするレンズ鏡筒であることを特徴とする。【選択図】  図１
2010054600.tif 000002
【特許請求の範囲】
【請求項１】
手動操作環を備えるレンズ鏡筒において、
前記手動操作環はプラスチック材料より成り、
前記手動操作環は光軸に垂直である第一の平面部と、
第一の平面部から光軸方向に離間した第二の平面部を有し、
前記第一の平面部に当接した金属材料から成る第一の補強リングと、
前記第二の平面部に当接した金属材料から成る第二の補強リングを有することを特徴とするレンズ鏡筒。
【請求項２】
前記手動操作環の第一の平面部から光軸方向に複数の突起部が延伸し、
前記突起部の端面が前記第二の平面部を形成しており、
前記第一の補強リングは前記手動操作環の突起部を避けるための切り欠き形状を有していることを特徴とする請求項１に記載のレンズ鏡筒。
【請求項３】
前記第一の補強リングと前記第二の補強リングは同形状部材であることを特徴とする請求項１又は請求項２に記載にレンズ鏡筒。
【請求項４】
請求項１〜請求項３のいずれかに記載のレンズ鏡筒を備えたことを特徴とする光学機器。
【発明の詳細な説明】
【技術分野】
【０００１】
本発明は、カメラ等のレンズ鏡筒の鏡筒構造に関するものである。
【背景技術】
【０００２】
従来より一眼レフカメラ用の交換レンズには、一般的に、使用者が手動で被写体に焦点を合せるためのフォーカスリング、ズームレンズの場合は焦点距離を手動で変更するためのズームリング等が設けられている。これらの手動操作部材は、その機能だけでなく使用者の操作時の操作感が重要視されてきている。オートフォーカス機能でピントを自動で合わせた後でも操作者の作画意図によりピント位置を変更したり、オートフォーカスが不得意な被写体に対して手動で該操作部材によりピント調節をすることがよく行われている。その際、スムーズな操作部材の動作が要求されており、操作途中での引っ掛り、ムラ、スティックスリップ等が発生しないことが重要である。
【０００３】
近年の交換レンズ鏡筒は、鏡筒及び外観部品においてもプラスチック化が進み、軽量化及びコストダウンが進められている。
【０００４】
プラスチック化された手動操作環は、手動操作環を使用者が手で握った際に該手動操作環を潰すような力が作用すると変形量が大きくなる。円筒状の該手動操作環が変形により楕円筒形状になった状態で光軸回りの回転操作を受けると、固定筒と楕円に変形した手動操作環が部分的に摺動するようになる。したがって、手動操作環の回転動作中に回転トルクムラが発生したり、不要な摺動によるザラツキを感じたりして、手動操作がスムーズにできないことが多くあった。
【０００５】
そこで、特許文献１では、手動操作環の内径部に金属材料より成る補強リングを挿入して変形を防止している。
【特許文献１】特開２００６−１１９４３８号公報
【発明の開示】
【発明が解決しようとする課題】
【０００６】
しかしながら、上述の特許文献１に開示された従来技術では、以下のような問題がある。
【０００７】
手動操作環の操作部が光軸方向に長い場合、補強リングを配置した以外の場所が変形をする恐れがある。補強リングは安価に作成するためにプレス加工で製造される。したがって、板厚を厚くして補強リングを光軸方向に延伸させようとすると、補強リングの内外径寸法差を確保する必要があり、鏡筒の小型・軽量化の妨げとなる。また、補強リングをパイプ材より削りだして作成すると製造コストが高くなる。
【０００８】
そこで、本発明の目的は、操作部が光軸方向に長い手動操作環においてもプレス加工で製造した安価な補強リングを用いて手動操作環の強度を向上させ、使用者が該フォーカスリングを強く摘んでもスムーズな回転動作をさせることができるレンズ鏡筒を提供することである。
【課題を解決するための手段】
【０００９】
上記目的を達成するために、本発明は、レンズ鏡筒の手動操作環の構成において、前記手動操作環はプラスチック材料より成り、前記手動操作環は光軸に垂直である第一の平面部と、第一の平面部から光軸方向に離間した第二の平面部を有し、前記第一の平面部に当接した金属材料から成る第一の補強リングと、前記第二の平面部に当接した金属材料から成る第二の補強リングを有することを特徴とするレンズ鏡筒であることを特徴とする。
【発明の効果】
【００１０】
本発明によれば、光軸方向に操作部の長い手動操作環の強度をプレス加工で製造した安価な補強リングを用いて向上させることが可能である。したがって、使用者が該手動操作環を強く摘んでもスムーズな回転動作をさせることが可能となるレンズ鏡筒を提供することができる。
【発明を実施するための最良の形態】
【００１１】
次に、本発明の詳細を実施例の記述に従って説明する。
【００１２】
本発明は、カメラ等の光学機器に用いられる交換レンズの手動の回転操作部材に関するものであり、以下の実施の形態で説明する。
【００１３】
図１は本発明を実施したカメラ等に用いられるレンズ鏡筒の、フォーカスリング近傍の構成について抜き出して示した、光軸を含む面で切断した断面図である。
【００１４】
図１において、Ａ−Ａは交換レンズの光軸を表している。１は不図示の一眼レフカメラ本体に着脱可能に接続するためのマウントである。２はマウント１にビス等で固着され支持される外装環であり、３は該外装環２にビス等により固着され支持される固定筒である。４は本実施例における手動操作環のフォーカスリングである。フォーカスリング４を光軸回りに回転することで不図示の交換レンズ鏡筒内部のレンズ駆動機構にその回転力を伝達して、フォーカス用レンズ群を光軸方向へ移動させて焦点調節可能な構成として動作させるように構成されている。５はフォーカスリング４の内周に圧入され接着固定される、金属より成る第一の補強リングである。６は第一の補強リング５から光軸方向に離間して配置された第二の補強リングであり、第一の補強リング５と同様にフォーカスリング４の内周に圧入され接着固定される。
【００１５】
フォーカスリング４の形状において、外周部４ａは使用者が直接触れる部分であり、ローレット等の回転動作時に指が滑りにくい形状になっている。内周４ｂ面は、固定筒３の摺動面３ａと径嵌合しており、フォーカスリング４の径方向の位置を決めている。フォーカスリング４の光軸方向位置は、４ｃ面と３ｂ面の間隔及び２ａ面と４ｄ面の間隔で規制され、適度なガタを有して支持されている。４ｅ面は第一の補強リング５が当接する光軸に垂直な第一の平面部である。また、４ｆは第一の平面部４ｅ面から光軸方向に延伸した複数のリブ（突起部）であり、リブ４ｆの端面にて第二の補強リング６が当接するために第一の平面部から光軸方向に離間した第二の平面部４ｇを形成している。
【００１６】
次にフォーカスリング４へ第一の補強リング５と第二の補強リング６を組み込む際の組立方法について図２から図４を用いて説明する。
【００１７】
図２は補強リングを組み込む前のフォーカスリング４の斜視図である。図３はフォーカスリング４に第一の補強リング５を組み込んだ際の斜視図である。図４はフォーカスリング４に第二の補強リング６を組み込んだ際の斜視図である。
【００１８】
第一の補強リング５はフォーカスリング４に形成された光軸に垂直な第一の平面部４ｅ面に当接する。フォーカスリング４には第二の補強リング６が当接する第二の平面部４ｇを形成するためのリブ４ｆが第一の平面部４ｅ面から光軸方向に延伸している。したがって、第一の補強リング５にはリブ４ｆを逃げるための切り欠き形状５ａがリブ４ｆと同数形成されている。
【００１９】
また、フォーカスリング４には第一の補強リング５を組み込む際の角度位相基準である位置決めリブ４ｊが第一の平面部４ｅ面から光軸方向に延伸している。第一の補強リング５には位置決めリブ４ｊに対応する角度位相に第一の位置決め溝５ｂが形成されており、第一の位置決め溝５ｂからθ１角度位相の異なる位置に第一の位置決め溝５ｂと同形状である第二の位置決め溝５ｃが形成されている。この時、第一の位置決め溝５ｂと第二の位置決め溝５ｃと角度位相θ１と、フォーカスリング４に形成されたリブ４ｆの角度間隔θ２は下記のような関係となっている。
【００２０】
θ１  ＜  θ２    （式１）
フォーカスリング４の内周部４ｈは第一の補強リングの外径部５ｄ及び第二の補強リング６の外径部６ｄとは圧入の寸法設定となっている。圧入後、フォーカスリング４と第一の補強リング５は接着固定される。
【００２１】
次に、第二の補強リング６をフォーカスリング４に組み込む作業を説明する。
【００２２】
本実施例において、第一の補強リング５と第二の補強リング６は同形状部材を使用している。したがって、第二の補強リング６にもフォーカスリング４のリブ４ｆを逃げるための切り欠き形状６ａが形成されている。そのため、第二の補強リング６を第一の補強リング５と同角度位相で組み込むと、リブ４ｆの端面によって形成される第二の平面部４ｇに当接させることができない。そこで、第二の補強リング６をθ１だけ第一の補強リングの組立角度位相に対して回転させることで、リブ４ｆと切り欠き形状６ａの角度位相がずれ、第二の補強リング６と第二の平面部４ｇを当接させることができる。また、位置決めリブ４ｊと第二の位置決め溝６ｃによって第二の補強リング６の組立角度位相が決定されるため、切り欠き形状６ａとリブ４ｊが交差して当接面積が減少することを防止することができる。
【００２３】
第二の補強リング６も、第一の補強リング５と同様、フォーカスリング４に対して接着固定される。
【００２４】
以上、本発明の実施例について説明したが、本発明はこれらの実施例に限定されず、請求項の記載した内容の範囲内で種々の変形や変更が可能である。例えば、上記実施例では、フォーカスリング４を手動操作環としたが、ズームレンズにおいてはズーム操作環としてもよい。
【図面の簡単な説明】
【００２５】
【図１】本発明に係るフォーカスリングを有する交換レンズ鏡筒のフォーカスリング周りの構成を示す断面図である。
【図２】補強リングを組み込む前のフォーカスリングの斜視図。
【図３】フォーカスリングに第一の補強リングを組み込んだ際の斜視図である。
【図４】フォーカスリングに第二の補強リングを組み込んだ際の斜視図である。
【符号の説明】
【００２６】
１  マウント
２  外装環
３  固定筒
４  フォーカスリング（手動操作環）
５  第一の補強リング
６  第二の補強リング
【図１】
2010054600.tif 000003
【図２】
2010054600.tif 000004
【図３】
2010054600.tif 000005
【図４】
2010054600.tif 000006